(57)【特許請求の範囲】
【請求項１】
母材に形成された下穴にかしめナットを挿通し、かしめ固定して上記母材にかしめナットを取り付けるかしめナット取付構造において、
上記母材は、金属板の表面に断熱材が貼着されたものであり、上記下穴に切欠きが形成され、
上記かしめナットが、その頭部を上記金属板に当接して上記下穴に挿通され、当該かしめナットのかしめ変形部が上記断熱材側に位置し、このかしめ変形部は、当該かしめ変形部と上記頭部との距離が上記母材の厚みと略同一となる位置で変形し、上記切欠きにかしめ固定されることを特徴とするかしめナットの取付け構造。
【請求項２】
上記下穴には、その周縁に複数の切欠きが形成されたことを特徴とする請求項１に記載のかしめナット取付構造。
【請求項３】
建屋の天井部に設置され、熱交換器及びファンを収容して構成されたユニット本体に吹出ダクトが延設された空気調和機において、
上記ユニット本体の箱体は、金属板の表面に断熱材が貼着された母材を枠状に配置して構成され、この母材に、切欠きを備えるかしめナット取り付け用の下穴が形成され、
上記かしめナットが、その頭部を上記金属板に当接して上記下穴に挿通され、当該かしめナットのかしめ変形部が上記断熱材側に位置し、このかしめ変形部は、当該かしめ変形部と上記頭部との距離が上記母材の厚みと略同一となる位置で変形し、上記切欠きにかしめ固定されることを特徴とする空気調和機。
【請求項４】
上記下穴には、その周縁に複数の切欠きが形成されたことを特徴とする請求項３に記載の空気調和機。
【発明の詳細な説明】
【０００１】
【発明の属する技術分野】
本発明は、かしめナット取付構造に関し、更に、建屋の天井部に設置され、内部に熱交換器およびファンを備え、熱交換された空気を吹き出しダクトを介して室内の適宜位置へ導き吹き出させる空気調和機に関する。
【０００２】
【従来の技術】
一般に、建屋の天井空間に設置され、室内熱交換器およびファンを収容して構成されたユニット本体に、吹出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図８に示すように、パネル仕様ビルトイン型空気調和機１０とダクト仕様ビルトイン型空気調和機２０とがある。パネル仕様ビルトイン型空気調和機１０（図８（Ａ））は、ユニット本体１１の下面に設けられて天井板に設置される天井パネル１２から室内空気を吸い込むものであり、また、電装箱がユニット本体１１内部に配設されている。一方、ダクト仕様ビルトイン型空気調和機２０（図８（Ｂ））は、ユニット本体２１の背面に吸込ダクト２２を設けて、この吸込ダクト２２を介し室内空気を吸い込むものであり、電装箱２３がユニット本体２１の側板の外面に設置されている。
【０００４】
ところで、パネル仕様ビルトイン型空気調和機１０のユニット本体１１とダクト仕様ビルトイン型空気調和機２０のユニット本体２１は、鋼板の表面に断熱材が貼着されて構成される。このため、例えば、パネル仕様ビルトイン型空気調和機１０のユニット本体１１に天井パネル１２を取り付ける場合に、かしめナットを通常の方法でユニット本体に取り付けると、かしめナットのかしめ強度が不充分となって、回転トルク強度を実用上支障のない程度に確保できない。
【０００５】
そこで、ユニット本体１１への天井パネル１２の取り付けは、まず、ユニット本体１１の鋼板にナットを溶接し、その後に、上記鋼板の表面に断熱材を貼着して、ナットの回転トルク強度を確保してしている。
【０００６】
【発明が解決しようとする課題】
ところが、このような方法では、ユニット本体１１へのナットの取付作業が非常に煩雑となってしまう。
【０００７】
上述の事情を考慮して、請求項１に記載の発明の目的は、金属板の表面に断熱材が貼着された母材であっても、かしめナットの回転トルク強度を良好に確保できるかしめナット取付構造を提供することにあり、請求項３に記載の発明の目的は、断熱材が貼着されたユニット本体の箱体に、かしめナット及びボルトを用いて部品を確実に取り付けることができる空気調和機を提供することにある。
【０００８】
【課題を解決するための手段】
請求項１に記載の発明は、母材に形成された下穴にかしめナットを挿通し、かしめ固定して上記母材にかしめナットを取り付けるかしめナット取付構造において、上記母材は、金属板の表面に断熱材が貼着されたものであり、上記下穴に切欠きが形成され、上記かしめナットが、その頭部を上記金属板に当接して上記下穴に挿通され、当該かしめナットのかしめ変形部が上記断熱材側に位置し、このかしめ変形部は、当該かしめ変形部と上記頭部との距離が上記母材の厚みと略同一となる位置で変形し、上記切欠きにかしめ固定されることを特徴とするかしめナットの取付け構造。
【０００９】
請求項２に記載の発明は、請求項１に記載の発明において、下穴には、その周縁に複数の切欠きが形成されたことをを特徴とするものである。
【００１０】
請求項３に記載の発明は、建屋の天井部に設置され、熱交換器及びファンを収容して構成されたユニット本体に吹出ダクトが延設された空気調和機において、上記ユニット本体の箱体は、金属板の表面に断熱材が貼着された母材を枠状に配置して構成され、この母材に、切欠きを備えるかしめナット取り付け用の下穴が形成され、上記かしめナットが、その頭部を上記金属板に当接して上記下穴に挿通され、当該かしめナットのかしめ変形部が上記断熱材側に位置し、このかしめ変形部は、当該かしめ変形部と上記頭部との距離が上記母材の厚みと略同一となる位置で変形し、上記切欠きにかしめ固定されることを特徴とする空気調和機。
【００１１】
請求項４に記載の発明は、請求項３に記載の発明において、下穴には、その周縁に複数の切欠きが形成されたことをを特徴とするものである。
請求項１または２に記載の発明には、次の作用がある。
【００１２】
母材に設けられた下穴に切欠きが形成され、かしめナットがその頭部を母材の金属板に当接して下穴に挿通され、母材にかしめ固定されたことから、かしめナットのかしめ固定時に、かしめナットの頭部が母材の金属板に当接した状態でかしめ変形部が下穴の切欠きに食い込むので、かしめナットのかしめ強度を増大させることができる。この結果、母材が金属板の表面に断熱材を貼着したものであっても、この母材に取り付けられたかしめナットの回転トルク強度を、実用上支障のない範囲に確保することができる。
【００１３】
請求項３または４に記載の発明には、次の作用がある。
【００１４】
ユニット本体の箱体に設けられた下穴に切欠きが形成されかしめナットが、その頭部を箱体の金属板に当接して下穴に挿通され、ユニット本体にかしめ固定されたことから、かしめナットのかしめ固定時に、かしめナットの頭部が箱体の金属板に当接した状態でかしめ変形部が下穴の切欠きに食い込むので、かしめナットのかしめ強度を増大させることができる。この結果、ユニット本体の箱体が金属板の表面に断熱材を貼着したものであっても、この箱体に取り付けられたかしめナットの回転トルク強度を実用上支障のない範囲に確保できる。このため、このかしめナットに対応するボルトなどを用いて、ユニット本体の箱体に部品を確実に取り付けることができる。
【００１５】
【発明の実施の形態】
以下、本発明の実施の形態を、図面に基づき説明する。
【００１６】
図１は、本発明に係る空気調和機の第一の実施の形態が適用されたビルトイン型空気調和機を示し、（Ａ）がパネル仕様ビルトイン型空気調和機、（Ｂ）がダクト仕様ビルトイン型空気調和機をそれぞれ示す側面図である。
【００１７】
図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６及び運転制御用の電装箱３７を有して構成される。
【００１８】
上記ユニット本体３５の箱体５４は、互いに対向配置されて四角枠形状に設けられた４枚の側板３８の上縁部に天板３９が、下縁部の一部にドレンパン押え板４６がそれぞれ固定されて構成される。これらの側板３８、天板３９及びドレンパン押え板４６の内外表面または、内側もしくは外側表面（本実施の形態では外側表面）に断熱材が貼着されている。
【００１９】
このユニット本体３５の箱体５４の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００２０】
このユニット本体３５は箱体５４の内部に、図４に示す室内熱交換器５５、ファン５６およびファンモータ（不図示）が収容して構成される。上記室内熱交換器５５は、図２及び図３に示す冷媒配管接続口４３に接続された冷媒配管（ガス管）、及び冷媒配管接続口４４に接続された冷媒配管（液管）を用いて、図示しない室外機に接続される。ユニット本体３５の室内熱交換器５５は、室外機から導かれる冷媒の蒸発または凝縮により、後述の如くユニット本体３５内に吸い込まれた空気を冷却し又は暖房する。
【００２１】
尚、図２、図３中の符号４５Ａはドレン配管接続口を示し、符号４５Ｂはドレン排出口を示す。
【００２２】
図１に示す上記吹出ダクト３６は、通常、複数本がユニット本体３５から延設されている。吹出ダクト３６のそれぞれは、ユニット本体３５の箱体５４の一つの側板３８Ａに一体に設置された吹出口４７（図２、図３）に一端が嵌装され、他端に吹出グリル４８が取付けられる。この吹出グリル４８は、天井板３３の適宜位置に設置される。ユニット本体３５のファンの回転により、後述の如くユニット本体３５内に室内空気が吸い込まれ、室内熱交換器により熱交換された空気が、吹出ダクト３６を経て吹出グリル４８から室内へ吹き出される。
【００２３】
ところで、図１（Ａ）及び図２に示すパネル仕様ビルトイン型空気調和機３０は、ユニット本体３５の下部開口に天井パネル４９が装着されたものである（後に詳説する）。この天井パネル４９は、中央位置に吸込板５０を備え、この吸込板５０との隙間から室内空気を吸い込み、ユニット本体３５内へ導入する。
【００２４】
また、図１（Ｂ）及び図３に示すダクト仕様ビルトイン型空気調和機４０は、ユニット本体３５の箱体５４の一つの側板３８で、吹出口４７が設置された側板３８Ａに対向する側板（すなわちダクト仕様ビルトイン型空気調和機４０の背面側板３８Ｂ）に、図示しない吸込開口が形成され、この側板３８（背面側板３８Ｂ）に、例えばフィルタボックス５１を介して、通常一本の吸込ダクト５２が連設されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。
【００２５】
尚、ダクト仕様ビルトイン型空気調和機４０のユニット本体３５の下部開口は、遮風板５７により閉じられる。本実施の形態では、この遮風板５７の外側にも断熱材が貼着されている。また、上記電装箱３７は、図１に示すように、ユニット本体３５の側板３８のうち、吹出ダクト３６または吸込ダクト５２が配設されていない側板３８Ｃに取付けられる。
【００２６】
さて、図４に示すように、天井パネル４９は、ユニット本体３５の箱体５４における下部開口の周囲に固定されたかしめナット６０、及びこのかしめナット６０に螺合する取付ボルト６１を用いて、ユニット本体３５の箱体５４に取り付けられる。
【００２７】
かしめナット６０が固定される箱体５４の、母材としての側板３８には、図６に示すように、金属板としての鋼板６２の表面に断熱材６３が貼着されている。更に、上記側板３８には、かしめナット６０取付用の下穴６４が形成されている。図５に示すように、この下穴６４には、その周縁の四等配位置に４個の、または、二等配位置に２個の切欠き６５が、それぞれ下穴６４に連続して形成されている。
【００２８】
かしめナット６０は、図６に示すように、その頭部６０Ａを箱体５４における側板３８の鋼板６２に当接して下穴６４に挿通され、この側板３８にかしめ固定される。このかしめ固定時に、かしめナット６０のかしめ変形部６０Ｂが下穴６４の切欠き６５に食い込んで、かしめ強度が増大される。この結果、箱体５４の側板３８にかしめ固定されたかしめナット６０の回転トルク強度が実用上支障のない範囲に確保される。
【００２９】
例えば、図５は、下穴６４の直径Ｄが７．１ｍｍであり、切欠き６５の半径Ｒが１．０ｍｍまたは０．５ｍｍであるときに、これらの下穴６４に挿入されてかしめ固定されたかしめナット６０の回転トルク強度を示す。この図５に示すように、直径Ｄが７．１ｍｍの下穴６４に切欠き６５が全く存在しない場合には、この下穴６４に挿入されてかしめ固定されたかしめナット６０の回転トルク強度は、平均２５．７ｋｇ／ｃｍとなって極めて低く実用上支障を生ずる。
【００３０】
これに対し、直径Ｄが７．１ｍｍの下穴６４に切欠き６５が四個あり、その切欠き６５の半径Ｒが１．０ｍｍである場合には、この下穴６４に挿入されてかしめ固定されたかしめナット６０の回転トルク強度は平均７４．９ｋｇ／ｃｍとなり、最も優れていることがわかる。
【００３１】
従って、上記実施の形態によれば、次の効果を奏する。
【００３２】
ユニット本体３５の箱体５４における側板３８に設けられた下穴６４に切欠き６５が形成されかしめナット６０が、その頭部６０Ａを箱体５４の側板３８における鋼板６２に当接して下穴６５に挿通され、箱体５４の側板３８にかしめ固定されたことから、かしめナット６０のかしめ固定時に、かしめナット６０の頭部６０Ａが側板３８における鋼板６２に当接した状態で、かしめ変形部６０Ｂが下穴６４の切欠き６５に食い込むので、かしめナット６０のかしめ強度を増大させることができる。この結果、鋼板６２の表面に断熱材６３を貼着した箱体５４の側板３８であっても、この側板３８に取り付けられたかしめナット６０の回転トルク強度を、実用上支障のない範囲に確保できる。このため、このかしめナット６０に対応する取付ボルト６１などを用いて、ユニット本体３５の箱体５４に天井パネル４９を確実に取り付けることができる。
【００３３】
以上、本発明を上記実施の形態に基づいて説明したが、本発明はこれに限定されるものではない。例えば、切欠き６５は半円形状に限らず、四角または三角形状であってもよい。
【００３４】
また、上記実施の形態では、パネル仕様ビルトイン型空気調和機３０のユニット本体３５に天井パネル４９を取り付ける場合を述べたが、ダクト仕様ビルトイン型空気調和機４０のユニット本体３５に他の部品を取り付ける場合など、表面に断熱材６３が貼着された金属板にかしめナット６０をかしめ固定する場合に本発明を適用してもよい。
【００３５】
【発明の効果】
以上のように、請求項１に記載の発明に係るかしめナット取付構造によれば、母材が、金属板の表面に断熱材が貼着されたものであり、下穴に切欠きが形成され、かしめナットが、その頭部を金属板に当接して下穴に挿通され、母材にかしめ固定されたことから、金属板の表面に断熱材が貼着された母材であっても、かしめナットの回転トルク強度を良好に確保できる。
【００３６】
また、請求項３に記載の発明に係る空気調和機によれば、ユニット本体の箱体が、金属板の表面に断熱材が貼着して構成され、この箱体に、切欠きを備えるかしめナット取り付け用の下穴が形成され、かしめナットが、その頭部を金属板に当接して下穴に挿通され、ユニット本体にかしめ固定されたことから、断熱材が貼着されたユニット本体の箱体に、かしめナット及びボルトを用いて部品を確実に取り付けることができる。
【図面の簡単な説明】
【図１】本発明に係る空気調和機の一実施の形態が適用されたビルトイン型空気調和機を示し、（Ａ）がパネル仕様ビルトイン型空気調和機、（Ｂ）がダクト仕様ビルトイン型空気調和機のそれぞれ側面図である。
【図２】図１（Ａ）におけるパネル仕様ビルトイン型空気調和機のユニット本体を示す斜視図である。
【図３】図１（Ｂ）におけるダクト仕様ビルトイン型空気調和機のユニット本体を示す斜視図である。
【図４】図２に示すユニット本体への天井パネルの取付状況を示す分解側面図である。
【図５】図４のユニット本体３５に形成されたかしめナット用の下穴を示す正面図である。
【図６】かしめナットの取付状態を示す断面図である。
【図７】かしめナットの回転トルク強度を示す図表である。
【図８】従来のビルトイン型空気調和機を示し、（Ａ）がパネル仕様ビルトイン型空気調和機、（Ｂ）がダクト仕様ビルトイン型空気調和機のそれぞれ部分斜視図である。
【符号の説明】
３０  パネル仕様ビルトイン型空気調和機
３１  建屋
３２  天井
３４  天井空間
３５  ユニット本体
３６  吹出ダクト
４０  ダクト仕様ビルトイン型空気調和機
５４  箱体
４９  天井パネル
５４  箱体
６０  かしめナット
６０Ａ  頭部
６０Ｂ  かしめ変形部
６１  取付ボルト
６２  鋼板（金属板）
６３  断熱材
６４  下穴
６５  切欠き
【図１】
0004093674.tif 000002
【図２】
0004093674.tif 000003
【図３】
0004093674.tif 000004
【図４】
0004093674.tif 000005
【図５】
0004093674.tif 000006
【図６】
0004093674.tif 000007
【図７】
0004093674.tif 000008
【図８】
0004093674.tif 000009